(57)【要約】【課題】パケットリングネットワーク上でキャリアの運用指針に応じて固定的な経路の選択を行うことができるようにすると共に、強制切り替え操作や手動切り替え操作においても、フレームが重複して到着する現象やフレーム瞬断現象を回避できるようにすることにより、保守運用機能の向上を図れるノード装置、運用監視装置、転送経路選択方法、制御プログラムを提供する。【解決手段】特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新可能する。【選択図】図５
2010206384.tif 000002
【特許請求の範囲】
【請求項１】
伝送路を介してリング状に接続された複数のノード装置を有するパケットリングネットワークにおけるノード装置であって、
特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新可能するデータベース更新可能手段と、
現用面のトポロジ管理データベースと待機面のトポロジ管理データベースとを構築するトポロジ管理データベース構築手段と、
ネットワークオペレータからの面切り替えコマンドにより前記現用面のトポロジ管理データベースに対するテーブル内容の有効・無効の選択または／および前記待機面のトポロジ管理データベースに対するテーブル内容の有効・無効の選択を実施可能にするデータベース有効・無効選択実施可能手段と、
を備えたことを特徴とするノード装置。
【請求項２】
前記トポロジ管理データベース構築手段は、ＴＰ（Ｔｏｐｏｌｏｇｙ Ｐｒｏｔｅｃｔｉｏｎ）フレームとＴＣ（Ｔｏｐｏｌｏｇｙ Ｃｈｅｃｋ）フレームを受信し、トポロジ管理データベースを構築する過程で、前記現用面のトポロジ管理データベースとは独立した前記待機面のトポロジ管理データベースを配置し、ＲＰＲ（Ｒｅｓｉｌｉｅｎｔ  Ｐａｃｋｅｔ  Ｒｉｎｇ）標準のプロトコルに則する形での制御フレームの送信処理機能および受信処理機能により前記両方のトポロジ管理データベースの構築を実現する
ことを特徴とする請求項１に記載のノード装置。
【請求項３】
前記トポロジ管理データベース構築手段は、伝送路の支障移転時に迂回対象としたいリンクを指定するためにクリーブポイントを強制指定するキャリアによる運用監視装置からの操作を契機に、前記待機面のトポロジ管理データベースの再構築を開始し、
前記データベース有効・無効選択実施可能手段は、ネットワークオペレータからの面切り替えコマンドにより前記現用面のトポロジ管理データベースに対する有効・無効のテーブル内容または／および前記待機面のトポロジ管理データベースに対する有効・無効のテーブル内容を切り替える
ことを特徴とする請求項１または請求項２に記載のノード装置。
【請求項４】
伝送路を介してリング状に接続された複数のノード装置を有するパケットリングネットワークにおける運用監視装置であって、
特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新を可能にする指示をノード装置に要求するデータベース更新指示手段と、
パケットリングネットワーク内に配置される各ノード装置までの運用中の転送経路を前記トポロジ管理データベースに基づいて可視化する転送経路可視化手段と、
を備えたことを特徴とする運用監視装置。
【請求項５】
伝送路を介してリング状に接続された複数のノード装置を有するパケットリングネットワークにおける転送経路選択方法であって、
特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新可能にすることによって、実運用中のマルチポイント・ツー・マルチポイントトラフィックに対する転送経路をキャリアの運用方針に応じて固定的な経路を選択できるようにしたことを特徴とする転送経路選択方法。
【請求項６】
伝送路を介してリング状に接続された複数のノード装置を有するパケットリングネットワークにおけるノード装置の処理および制御を行うためのプログラムであって、
特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新可能するデータベース更新可能処理と、
現用面のトポロジ管理データベースと待機面のトポロジ管理データベースとを構築するトポロジ管理データベース構築処理と、
ネットワークオペレータからの面切り替えコマンドにより前記現用面のトポロジ管理データベースに対するテーブル内容の有効・無効の選択または／および前記待機面のトポロジ管理データベースに対するテーブル内容の有効・無効の選択を実施可能にするデータベース有効・無効選択実施可能処理と、
をコンピュータに実行させるためのプログラム。
【請求項７】
伝送路を介してリング状に接続された複数のノード装置を有するパケットリングネットワークにおける運用監視装置の処理および制御を行うためのプログラムであって、
特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新を可能にする指示をノード装置に要求するデータベース更新指示処理と、
パケットリングネットワーク内に配置される各ノード装置までの運用中の転送経路を前記トポロジ管理データベースに基づいて可視化する転送経路可視化処理と、
をコンピュータに実行させるためのプログラム。
【発明の詳細な説明】
【技術分野】
【０００１】
本発明は、複数のノード装置がリング状に接続されたパケットリングネットワークにおけるノード装置、運用監視装置、転送経路選択方法、およびプログラムに関するものである。
【背景技術】
【０００２】
通信事業者が適用しているレイヤ２ネットワークは、Ｌ２ＳＷとＷＤＭ（Ｗａｖｅｌｅｎｇｔｈ  Ｄｉｖｉｓｉｏｎ  Ｍｕｌｔｉｐｌｅｚｅｒ）を組み合わせた構成かあるいはＬ２ＳＷとＡＤＭ（Ａｄｄ  Ｄｒｏｐ  Ｍｕｌｔｉｐｌｅｚｅｒ）を組み合わせた構成で構築することが一般的であった。しかしながら、ＷＤＭもしくはＡＤＭで構成されたネットワークはポイント・ツー・ポイントの伝送が一般的であって、ポイント・ツー・マルチポイントの伝送に不向きであるとともに、波長もしくはＳＴＳ（Ｓｏｕｒｃｅ／Ｔｒａｎｓｆｏｒｍ／Ｓｉｎｋ  ｄｅｃｏｍｐｏｓｉｔｉｏｎ）パスを固定的に使用することからＭＡＣフレーム（Ｅｔｈｅｒｎｅｔ（登録商標））の特性であるバーストトラフィックを効率的に伝送することができなかった。
【０００３】
また、既存のレイヤ２ネットワークでは、Ｌ２ＳＷが有するプロテクション機能を使用ことが常套であるが、標準として規定されている技術を採用した場合の切り替え時間は、一般的には、ＳＴＰ（Ｓｐａｎｎｉｎｇ  Ｔｒｅｅ  Ｐｒｏｔｏｃｏｌ：ＩＥＥＥ  ８０２．１ｄ）で４０秒程度、ＲＳＴＰ（Ｒａｐｉｄ  Ｓｐａｎｎｉｎｇ  Ｔｒｅｅ  Ｐｒｏｔｏｃｏｌ：ＩＥＥＥ  ８０２．１ｗ）でも２秒程度と、障害回復能力がキャリアグレードと呼ぶには不十分であった。このため、多対多の伝送、統計多重効果を用いたバーストトラフィックへの対応、および障害回復能力がＳＤＨ／ＳＯＮＥＴの伝送装置並みの５０ｍｓｅｃ以下とするレイヤ２技術のニーズが高まり、これらを解決する標準化技術としてＲＰＲ（ＩＥＥＥ  ８０２．１７）が規定された。ＲＰＲは、時分割多重化伝送用、またはメッシュトポロジ用に最適化された規格とは異なり、リングトポロジのパケット伝送用途として最適化されたという意義がある。
【先行技術文献】
【特許文献】
【０００４】
【特許文献１】特開２００５−１８４６６６号公報
【特許文献２】特開２００８−１６６９９０号公報
【特許文献３】特開２００８−１６７００８号公報
【発明の概要】
【発明が解決しようとする課題】
【０００５】
しかしながら、国際標準である方式(ＩＥＥＥ  ８０２．１７、ＩＥＥＥ  ８０２．１７ｂで標準化されているＴｏｐｏｌｏｇｙ  Ｄｉｓｃｏｖｅｒｙ  ａｎｄ  Ｐｒｏｔｅｃｔｉｏｎ)に依るリングトポロジ認識と経路（データトラフィックストリームも含む）切り替え方式には、以下に示す技術的な課題がある。
【０００６】
前記国際標準における技術的な第一の課題としては、リングネットワークの構成要素である各ノード装置のホップ数のみを指標としている点がある。そのため、転送経路（データトラフィックストリームも含む）選択方法は、経由するノード数のみを評価する最短経路（データトラフィックストリームも含む）選択方法に限定される。すなわち、キャリアの運用指針に応じた経路（データトラフィックストリームも含む）選択や指定を行う手段を有していない。
【０００７】
詳しくは、前記の国際標準における第一の課題としては、リングネットワークにおける帯域使用効率の向上を目的の一つとしている点である。帯域使用効率の向上を実現する機能は、Ｓｐａｃｉａｌ  Ｒｅｕｓｅ（空間再利用）と呼ばれ、:送信側ノードと受信側ノードの間だけしか空間を利用していない。本機能によると、送信側ノードは、受信側ノードまでの最短経路（ショーテストパス）を選択してパケットデータフレームを送信し、受信側ノードは、パケットデータフレームを受信するとパケットデータフレームをパケットリングネットワークから削除する。パケットデータフレームがリングネットワーク内を一周するようなことはなく、必要な伝送路リンク区間だけにしかパケットデータフレームは流れないため、ネットワーク全体として利用できる帯域幅は何倍にも拡大することができるという利点がある。
【０００８】
ここで、各ノードは最短経路を計算するためにリングトポロジの認識、例えば、リングネットワーク内でダイナミックにノード追加・削除をする場合の認識や、ネットワークトポロジがリング状であるか、リニア構成であるかどうか等を常時監視してプロテクション状態遷移の伝達を迅速に行う仕組みと切り替え判定動作による認識と、転送経路を選定する処理を行っているが、その判定基準が、リングネットワークの構成要素である各ノード装置のホップ数のみを指標としている。 そのため、転送経路選択方法は、経由するノード数のみを評価する最短経路設定方法に限定される。すなわち、キャリアの運用指針に応じた経路（データトラフィックストリームも含む）選択や指定を行う手段を有しておらず、これは、キャリアの運用ポリシー等（たとえば支障移転時のトラフィック迂回など）に対応することまでは考慮されていない（第一の課題）。
【０００９】
前記の国際標準における第二の課題としては、必須要件として規定されているリングプロテクション方式（Ｓｔｅｅｒｉｎｇ）の障害回復性能値は、５０ミリ秒以内のフレーム瞬断を許容するものであるが、転送伝送路上（パスも含む）の障害発生時だけでなく、強制切り替え操作や手動切り替え操作時においても、同等の回復性能指標となる点である。
【００１０】
詳しくは、前記の国際標準における第二の課題としては、必須要件でありネットワークの信頼性確保の点で最大の特長の一つでもあるリングプロテクション方式（Ｓｔｅｅｒｉｎｇ）が挙げられるが、前記プロテクション方式の性能指標として、「５０ミリ秒以内の復旧」を規定しているが、転送伝送路上（パスも含む）の障害発生時だけでなく、強制切り替え操作や手動切り替え操作時においても、同等の性能指標を規定している。前記指標は、ネットワークの障害イベントからサービスを復旧させる上では極めて重要であると考えられるが、その反面、リングプロテクション方式では、キャリアの運用指針に応じた経路（データトラフィックストリームも含む）選択や指定を行う際にも、フレームの瞬断が伴う結果となり、特に、中継局の支障移転時などで必須要求となりうる運用面でのＳＬＡ（Ｓｅｒｖｉｃｅ  Ｌｅｖｅｌ  Ａｇｒｅｅｍｅｎｔ；サービスレベルアグリーメント）が保証できないという問題に波及する畏れがあると言う課題が生じる（第二の課題）。
【００１１】
前記の国際標準における第三の課題としては、前記第二の課題にも関連するが、規定されているリングプロテクション方式（Ｓｔｅｅｒｉｎｇ）による動作が、障害発生時だけでなく、強制切り替えや手動切り替え操作時においても同一処理であり、その処理は、迂回対象となる転送経路（データトラフィックストリームも含む）を一旦閉塞した後で、トポロジ管理データベースの更新処理を行う。また閉塞された転送経路（データトラフィックストリームも含む）の出力点では、到着フレームは廃棄する。前述の通り、リングプロテクション動作では、キャリアの運用指針に応じた経路（データトラフィックストリームも含む）選択や指定を行う際にはフレームの瞬断が伴い、強いてはサービスレベルを確保できないといった問題に波及する畏れがあると言う課題が生じる。
【００１２】
即ち、前記の国際標準における第三の課題としては、前記第二の課題にも関連するが、規定されているリングプロテクション方式（Ｓｔｅｅｒｉｎｇ）による動作は、ネットワーク内に所属する各リングノード装置にフレームが重複して到着する現象を回避する目的もあることから、障害発生時だけでなく、強制切り替えや手動切り替え操作時等のコマンド切り替え操作においても同一処理を実行しており、その処理とは、迂回対象となる転送経路（データトラフィックストリームも含む）を一旦閉塞した後で、トポロジ管理データベースの更新処理を行っている。さらに、閉塞された転送経路（データトラフィックストリームも含む）のスパン出力点では、到着フレームは廃棄する。そのため、リングプロテクション動作では、キャリアの運用指針に応じた経路（データトラフィックストリームも含む）選択や指定を行う際、特に中継局の支障移転時などで必須となりうるフレームが重複して到着する現象やフレーム瞬断現象を回避するという運用条件を遵守することができず、強いてはサービスレベルを確保できないといった問題に波及する畏れがあると言う課題が生じる（第三の課題）。
【００１３】
ところで、特許文献１に記載された先行技術では、複数のノードに対しマスタおよびバックアップの設定を行い、この設定に基づき受信したパケットのＴＴＬ値を更新する冗長化処理部を備えることにより、ネットワーク内で複数のノードがアドレスを共有する構成が実現でき、その結果、マスタが故障した場合でも直ちにバックアップで代替して、アドレス設定の変更なしにネットワークを再稼動できる冗長なリング型ネットワーク構成を可能にしている。
【００１４】
しかしながら、この先行技術は、キャリアの運用指針に応じた経路（データトラフィックストリームも含む）選択や指定を行う手段を有しておらず、これは、キャリアの運用ポリシー等（たとえば支障移転時のトラフィック迂回など）に対応することまでは考慮されていない（前記第一の課題）。即ち、この先行技術は、パケットリングネットワーク上でキャリアの運用指針に応じて、固定的な経路の選択を行うことができないと言う課題が生じる。
【００１５】
また、特許文献２に記載された先行技術では、リング上で伝送されるフレームの中から自ノード配下の端末を宛先とするフレームを選択的にドロップし、自ノード配下の端末からのフレームをリング上で伝送されるフレームにアッドする現用系装置としての機能を達成する現用系機能達成手段と、自ノード配下の端末を宛先とするフレームを隣接ノードへパススルーし、自ノード配下の端末からのフレームを廃棄する予備系装置としての機能を達成する予備系機能達成手段とを備え、ネットワークにおける使用の際に、現用系機能達成手段が選択された現用系装置と予備系機能達成手段が選択された予備系装置との双方がリングの一部を構成するようにリングに組み込まれ、現用系装置に結合される配下の装置が予備系装置にも結合され、現用系装置および予備系装置には、リングを構成するノード装置を相互に識別するための識別子として、同一の識別子が与えられるノード装置が提供されている。
【００１６】
したがって、この先行技術は、冗長ノードの配下の回線の故障に対して、配下の端末との通信を救済することができ、また、リングを構成する伝送装置の故障に対しても、前述のリング冗長切替が作動して故障した伝送装置が迂回されるので、配下の端末との通信を救済できる。しかしながら、この先行技術は、キャリアの運用指針に応じた経路（データトラフィックストリームも含む）選択や指定を行う手段を有しておらず、これは、キャリアの運用ポリシー等（たとえば支障移転時のトラフィック迂回など）に対応することまでは考慮されていない（前記第一の課題）。即ち、この先行技術は、パケットリングネットワーク上でキャリアの運用指針に応じて、固定的な経路の選択を行うことができないと言う課題が生じる。
【００１７】
また、特許文献３に記載された先行技術では、バイディレクショナルの通信方式の場合のフラッディングされたＲＰＲフレームを廃棄させるクリーブポイント（Ｃｌｅａｖｅ  Ｐｏｉｎｔ）をレジリエント・パケット・リング上で通信を行わせたくないルート上に設定したり、通信経路を指定するようにして、キャリアの運用ポリシーに沿った経路への送信ができ、且つ、キャリアのサービスに適した最小ホップ数の経路によりパケット送信を可能にしている。
【００１８】
しかしながら、この先行技術は、キャリアの運用指針に応じた経路（データトラフィックストリームも含む）選択や指定を行う際にも、フレームの瞬断が伴う結果となり、特に、中継局の支障移転時などで必須要求となりうる運用面でのＳＬＡ（Ｓｅｒｖｉｃｅ  Ｌｅｖｅｌ  Ａｇｒｅｅｍｅｎｔ；サービスレベルアグリーメント）が保証できないという問題に波及する畏れがあると言う課題が生じる（前記第二の課題）。また、この先行技術は、キャリアの運用指針に応じた経路（データトラフィックストリームも含む）選択や指定を行う際、特に中継局の支障移転時などで必須となりうるフレームが重複して到着する現象やフレーム瞬断現象を回避するという運用条件を遵守することができず、強いてはサービスレベルを確保できないといった問題に波及する畏れがあると言う課題が生じる（前記第三の課題）。要するに、この先行技術は、ＲＰＲネットワークのクリーブポイントを自動設定する手段による送信経路（データトラフィックストリームも含む）指定方法および装置について開示されているが、経路（データトラフィックストリームも含む）切り替え操作中のフレーム瞬断事象を解決する方法については、開示されていない。
【００１９】
本発明は、上述したような課題を解決するためになされたもので、パケットリングネットワーク上でキャリアの運用指針に応じて固定的な経路（データトラフィックストリームも含む）の選択を行うことができるようにすると共に、強制切り替え操作や手動切り替え操作においても、フレームが重複して到着する現象やフレーム瞬断現象を回避できるようにすることにより、保守運用機能の向上を図れるノード装置、運用監視装置、転送経路選択方法、制御プログラムを提供することを目的とする。
【課題を解決するための手段】
【００２０】
本発明は、伝送路を介してリング状に接続された複数のノード装置を有するパケットリングネットワークにおけるノード装置であって、特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新可能するデータベース更新可能手段と、現用面のトポロジ管理データベースと待機面のトポロジ管理データベースとを構築するトポロジ管理データベース構築手段と、ネットワークオペレータからの面切り替えコマンドにより前記現用面のトポロジ管理データベースに対するテーブル内容の有効・無効の選択または／および前記待機面のトポロジ管理データベースに対するテーブル内容の有効・無効の選択を実施可能にするデータベース有効・無効選択実施可能手段とを備えたことを特徴とするノード装置である。
【００２１】
また、本発明は、伝送路を介してリング状に接続された複数のノード装置を有するパケットリングネットワークにおける運用監視装置であって、特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新を可能にする指示をノード装置に要求するデータベース更新指示手段と、パケットリングネットワーク内に配置される各ノード装置までの運用中の転送経路を前記トポロジ管理データベースに基づいて可視化する転送経路可視化手段と、を備えたことを特徴とする運用監視装置である。
【００２２】
また、本発明は、伝送路を介してリング状に接続された複数のノード装置を有するパケットリングネットワークにおける転送経路選択方法であって、特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新可能にすることによって、実運用中のマルチポイント・ツー・マルチポイントトラフィックに対する転送経路をキャリアの運用方針に応じて固定的な経路を選択できるようにしたことを特徴とする転送経路選択方法である。
【００２３】
また、本発明は、伝送路を介してリング状に接続された複数のノード装置を有するパケットリングネットワークにおけるノード装置の処理および制御を行うためのプログラムであって、特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新可能するデータベース更新可能処理と、現用面のトポロジ管理データベースと待機面のトポロジ管理データベースとを構築するトポロジ管理データベース構築処理と、ネットワークオペレータからの面切り替えコマンドにより前記現用面のトポロジ管理データベースに対するテーブル内容の有効・無効の選択または／および前記待機面のトポロジ管理データベースに対するテーブル内容の有効・無効の選択を実施可能にするデータベース有効・無効選択実施可能処理とをコンピュータに実行させるためのプログラムである。
【００２４】
また、本発明は、伝送路を介してリング状に接続された複数のノード装置を有するパケットリングネットワークにおける運用監視装置の処理および制御を行うためのプログラムであって、特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新を可能にする指示をノード装置に要求するデータベース更新指示処理と、パケットリングネットワーク内に配置される各ノード装置までの運用中の転送経路を前記トポロジ管理データベースに基づいて可視化する転送経路可視化処理とをコンピュータに実行させるためのプログラムである。
【発明の効果】
【００２５】
本発明によれば、パケットリングネットワーク上でキャリアの運用指針に応じて固定的な経路（データトラフィックストリームも含む）の選択を行うことができるようになると共に、強制切り替え操作や手動切り替え操作においても、フレームが重複して到着する現象やフレーム瞬断現象を回避できるようになり、この結果、保守運用機能の向上を図れると言う効果が得られる。
【図面の簡単な説明】
【００２６】
【図１】本発明の一実施例に係るパケットリング転送ネットワークシステムの構成を示すプロック図である。
【図２】本実施例によるパケットリング転送ネットワークシステムにおける運用監視装置の構成を示すブロック図である。
【図３】本実施例によるノード装置１０１の内部構成を示すと共に接続状態を示すブロック図である。
【図４】本実施例によるノード装置の内部構成を示すブロック図である。
【図５】図４で示したＲＰＲフレーム変換回路４０３の要部構成を示すブロック図である。
【図６】図５の説明時に述べたアドレス学習テーブルＴ−０１、ならびにトポロジ管理データベース（ＷＫ−０１およびＭＴ−０１）の構成を説明するための図である。
【図７】本実施例においてリングが閉じられている場合のパケットリング転送ネットワークシステムの動作を説明するための図である。
【図８】図７に示すように接続されたパケットリング転送ネットワークシステムにおいて、発信元ノード装置毎のマルチポイント通信経路（トラフィックデータストリーム）を説明するための図である。
【図９】本実施例においてリングが開いている場合のパケットリング転送ネットワークシステムの動作を説明するための図である。
【図１０】図９に示すように接続されたパケットリング転送ネットワークシステムにおいて、発信元ノード装置毎のマルチポイント通信経路（トラフィックデータストリーム）を説明するための図である。
【図１１】本実施例においてリングが閉じている場合のパケットリング転送ネットワークシステムの動作を説明するための図である。
【図１２】図１１に示すように接続されたパケットリング転送ネットワークシステムにおいて、発信元ノード装置毎のマルチポイント通信経路（トラフィックデータストリーム）を説明するための図である。
【図１３】本実施例においてリングが開いている場合のパケットリング転送ネットワークシステムの動作を説明するための図である。
【図１４】図１３に示すように接続されたパケットリング転送ネットワークシステムにおいて、発信元ノード装置毎のマルチポイント通信経路（トラフィックデータストリーム）を説明するための図である。
【図１５】本実施例においてリングが閉じている場合のパケットリング転送ネットワークシステムの定常時の動作を説明するための図である。
【図１６】図１５に示すように接続されたパケットリング転送ネットワークシステムにおいて、定常時（事例１）における発信元ノード装置毎のマルチポイント通信経路（トラフィックデータストリーム）を説明するための図である。
【図１７】最短経路選択運用時の定常状態（事例１）におけるトロポジ管理データベースの一覧の表示の一例を示す図である。
【図１８】本実施例においてリングが閉じている場合のパケットリング転送ネットワークシステムの迂回動作を説明するための図である。
【図１９】図１８に示すように接続されたパケットリング転送ネットワークシステムにおいて、事例２（ノード装置Ｎ５とノード装置Ｎ１間のトラフィック迂回操作）として、発信元ノード装置毎のマルチポイント通信経路（トラフィックデータストリーム）を説明するための図である。
【図２０】事例２における現用面トロポジ管理データベースおよび待機面トロポジ管理データベースの一覧の表示の一例を示す図である。
【図２１】本実施例においてリングが閉じている場合のパケットリング転送ネットワークシステムの迂回動作を説明するための図である。
【図２２】図２１に示すように接続されたパケットリング転送ネットワークシステムにおいて、事例３（ノード装置Ｎ４とノード装置Ｎ５間のトラフィック迂回操作）として、発信元ノード装置毎のマルチポイント通信経路（トラフィックデータストリーム）を説明するための図である。図２２では、リングに属するノード装置数が奇数（図中では５個のノード装置）で、かつ、リング状のネットワークトポロジを構成する場合の発信元ノード装置毎のマルチポイント通信経路（トラフィックデータストリーム）を示している。
【図２３】事例３における現用面トロポジ管理データベースおよび待機面トロポジ管理データベースの一覧の表示の一例を示す図である。
【図２４】本実施例においてリングが閉じている場合のパケットリング転送ネットワークシステムの迂回動作を説明するための図である。
【図２５】図２４に示すように接続されたパケットリング転送ネットワークシステムにおいて、事例４（ノード装置Ｎ３とノード装置Ｎ４間のトラフィック迂回操作）として、発信元ノード装置毎のマルチポイント通信経路（トラフィックデータストリーム）を説明するための図である。
【図２６】事例４における現用面トロポジ管理データベースおよび待機面トロポジ管理データベースの一覧の表示の一例を示す図である。
【図２７】本実施例においてリングが閉じている場合のパケットリング転送ネットワークシステムの迂回動作を説明するための図である。
【図２８】図２７に示すように接続されたパケットリング転送ネットワークシステムにおいて、事例５（ノード装置Ｎ２とノード装置Ｎ３間のトラフィック迂回操作）として、発信元ノード装置毎のマルチポイント通信経路（トラフィックデータストリーム）を説明するための図である。
【図２９】事例５における現用面トロポジ管理データベースおよび待機面トロポジ管理データベースの一覧の表示の一例を示す図である。
【図３０】本実施例においてリングが閉じている場合のパケットリング転送ネットワークシステムの迂回動作を説明するための図である。
【図３１】図３０に示すように接続されたパケットリング転送ネットワークシステムにおいて、事例６（ノード装置Ｎ１とノード装置Ｎ２間のトラフィック迂回操作）として、発信元ノード装置毎のマルチポイント通信経路（トラフィックデータストリーム）を説明するための図である。
【図３２】事例６における現用面トロポジ管理データベースおよび待機面トロポジ管理データベースの一覧の表示の一例を示す図である。
【発明を実施するための形態】
【００２７】
以下、図面を参照して本発明の一実施例を説明する。図１は、本発明の一実施例に係るパケットリング転送ネットワークシステムの構成を示すプロック図である。本実施例では、障害発生時であっても伝送路（パスを含む）を確保することができる冗長化構成をとりつつ、保守単位としては運用ポリシーに応じて分離することが可能で、かつ従来方式とは互換性があり、特に、伝送路（パスを含む）障害時の自動切換やネットワークオペレータによる強制切り替え操作においても、収容するトラフィック（サービス）への影響を極小化でき、ネットワークレベルでの品質確保と運用面での可用性の向上を実現するノード装置、運用監視装置、転送経路選択方法、およびプログラムを提供する。
【００２８】
図１において、パケットリング転送ネットワークシステム１００は、伝送路を介してリング状に接続された複数のＲＰＲ（Ｒｅｓｉｌｉｅｎｔ  Ｐａｃｋｅｔ  Ｒｉｎｇ）ステーション１０１を備えている。以下、ＲＰＲステーションを単にノード装置と記す。そして、各ノード装置１０１を識別するために、Ａ、Ｂ，Ｃ，Ｄ，Ｅで示している５つのノード装置に対して、ＲＰＲ−ＭＡＣアドレスとしてＮ１、Ｎ２、Ｎ３、Ｎ４、Ｎ５が付与されている。各ノード装置１０１間には、ＯｕｔｅｒＲｉｎｇ（ＲＩ ０）４０５およびＩｎｎｅｒＲｉｎｇ（ＲＩ １）４０６が備えられている。ここでは、説明の都合上、ＯｕｔｅｒＲｉｎｇ４０５が図から見て時計回りにトラフィック転送を行うものとし、ＩｎｎｅｒＲｉｎｇ４０６が図から見て反時計回りにトラフィック転送を行うものとする。また、各ノード装置１０１には、仮想ネットワーク１０２を構成する端末装置であるクライアント機器１０３が接続されているものとする。
【００２９】
図２は、本実施例によるパケットリング転送ネットワークシステムにおける運用監視装置の構成を示すブロック図である。図２において、運用監視装置２０１は、クライアント機器２０２からサーバ２０３を介して各ノード装置１０１と接続する構成としている。運用監視装置２０１のサーバ２０３は、特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新を可能にする指示をノード装置に要求するデータベース更新指示手段と、パケットリングネットワーク内に配置される各ノード装置までの運用中の転送経路を前記トポロジ管理データベースに基づいて可視化する転送経路可視化手段とを備えている。
【００３０】
運用監視装置２０１は、特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新を可能にする指示をノード装置に要求するデータベース更新指示処理と、パケットリングネットワーク内に配置される各ノード装置までの運用中の転送経路を前記トポロジ管理データベースに基づいて可視化する転送経路可視化処理とを図示しないコンピュータに実行させるためのプログラムを図示しないメモリに記憶している。
【００３１】
図３は、本実施例によるノード装置１０１の内部構成を示すと共に接続状態を示すブロック図である。図３において、伝送路３０１（パス３０２を含む）は、図１に示した接続方式を備え、特にノード装置１０１とクライアント機器１０３（たとえばＬ２ＳＷ（スイッチ））との接続部分については、クライアント機器１０３を収容するノード装置１０１の障害、およびクライアント機器１０３とリングを接続するリンクの障害のいずれかが発生した場合においても、高速に通信が回復できる方式として、ノード装置１０１の二重化、およびクライアント機器１０３間のリンクの二重化の組み合わせで、信頼性を高める接続方式の採用を前提としている。
【００３２】
本接続方式によれば、リングネットワークを構成するノード装置１０１を二重化することで、ノード装置１０１の障害に対応できると共に、ノード装置１０１とクライアント機器１０３との間のリンクを二重化することにより、それらのリンク障害に対応可能である。ノード装置１０１の二重化方式としては、二重化されたノード装置１０１が互いのペアノード装置の動作状態を監視せずとも、それぞれが自律的に動作できると共に本接続方式に対応しない通常のＩＥＥＥ８０２．１７準拠のノード装置とも接続可能な方式とした。また、ノード装置１０１とクライアント機器１０３との間のリンクの二重化方式としては、高速切り替えが可能であり、かつ対向装置とのプロトコル依存性を排除することを考慮して、双方向切り替えではなく、障害検出結果を元に送信側でのフレーム振り分けを行うリンクアグリゲーション方式を採用事例として示す。なお、本実施例では、クライアント機器の接続部における高信頼接続方式を記したが、本接続方式については当業者にとってよく知られており、また本発明とは直接関係しないので、当該部分の詳細な構成と動作説明については省略する。
【００３３】
図４は、本実施例によるノード装置の内部構成を示すブロック図である。このノード装置１０１は、ネットワークオペレータからの強制切り替え操作や手動切り替え操作による転送先の伝送路の遮断に伴うフレーム瞬断を伴わず、トポロジ管理データベースをネットワークオペレータ主導で更新可能するデータベース更新可能手段と、現用面のトポロジ管理データベースと待機面のトポロジ管理データベースとを構築するトポロジ管理データベース構築手段と、ネットワークオペレータからの面切り替えコマンドにより前記現用面のトポロジ管理データベースに対するテーブル内容の有効・無効の選択または／および前記待機面のトポロジ管理データベースに対するテーブル内容の有効・無効の選択を実施可能にするデータベース有効・無効選択実施可能手段とを備えている。
【００３４】
また、ノード装置１０１は、特定の伝送路の区間にノード装置の増減設等の変更の必然性が生じ、パケットリングネットワーク上を疎通しているマルチポイントトラヒックに対して、特定の伝送路を迂回させたい場面において、ネットワークオペレータからの強制切り替え操作や手動切り替え操作による転送先の伝送路の遮断に伴うフレーム瞬断を伴わず、トポロジ管理データベースをネットワークオペレータ主導で更新可能するデータベース更新可能処理と、現用面のトポロジ管理データベースと待機面のトポロジ管理データベースとを構築するトポロジ管理データベース構築処理と、ネットワークオペレータからの面切り替えコマンドにより前記現用面のトポロジ管理データベースに対するテーブル内容の有効・無効の選択または／および前記待機面のトポロジ管理データベースに対するテーブル内容の有効・無効の選択を実施可能にするデータベース有効・無効選択実施可能処理とを図示しないコンピュータに実行させるためのプログラムを図示しないメモリに記憶している。
【００３５】
図４に示すように、ノード装置１０１は、ＳＤＨ（Ｓｙｎｃｈｒｏｎｏｕｓ  Ｄｉｇｉｔａｌ  Ｈｉｅｒａｒｃｈｙ）／ＳＯＮＥＴ（Ｓｙｎｃｈｒｏｎｏｕｓ  Ｏｐｔｉｃａｌ  Ｎｅｔｗｏｒｋ）等の物理レイヤ（Ｌａｙｅｒ  １）上でＲＰＲ（Ｒｅｓｉｌｉｅｎｔ  Ｐａｃｋｅｔ  Ｒｉｎｇ）等に代表されるデータリンクレイヤ（Ｌａｙｅｒ  ２）のリングトポロジでネットワークアプリケーションが動作する環境における転送伝送路（パスを含む）設定方法（転送経路選択方法）の機能およびＡＤＭ（Ａｄｄ  Ｄｒｏｐ  Ｍｕｌｔｉｐｌｅｘｅｒ）装置等を有するネットワークノード装置であって、ユーザ回線収容回路４０１、パケット多重・分離回路４０２、ＲＰＲフレーム変換回路４０３、およびＡＤＭインタフェース部分４０４で構成されている。ノード装置１０１間には、ＯｕｔｅｒＲｉｎｇ（ＲＩ ０）４０５およびＩｎｎｅｒＲｉｎｇ（ＲＩ １）４０６が備えられ、ＯｕｔｅｒＲｉｎｇ（ＲＩ ０）４０５とＩｎｎｅｒＲｉｎｇ（ＲＩ １）４０６をそれぞれ介して接続する方法を採用した例を図示している。
【００３６】
ユーザ回線収容回路４０１は、ＭＡＣ（Ｍｅｄｉｕｍ  Ａｃｃｅｓｓ  Ｃｏｎｔｒｏｌ）およびＰＨＹ（Ｐｈｙｓｉｃａｌ  Ｌａｙｅｒ）を備えている。パケット多重・分離回路４０２は、Ｌ２ＳＷ（スイッチ）を備えている。ＲＰＲフレーム変換回路４０３は、ＲＰＲを備えている。ＡＤＭインタフェース部４０４は、ＶＣＡＴ（Ｖｉｒｔｕａｌ  Ｃｏｎｃａｔｅｎａｔｉｏｎ）およびＧＦＰ（Ｇｅｎｅｒｉｃ  Ｆｒａｍｉｎｇ  Ｐｒｏｃｅｄｕｒｅ）と、クロスコネクト部と、高速ＩＦ（インタフェース）とを備えている。
【００３７】
図５は、図４で示したＲＰＲフレーム変換回路４０３の要部構成を示すブロック図である。ＲＰＲフレーム変換回路４０３は、図５に示すように、ＲＰＲフレームカプセル化回路Ｄ−０３、出力リング選定回路Ｄ−０４、ＡＤＭインタフェース回路Ｄ−０５、通過判定回路Ｄ−０６、およびＲＰＲフレームデカプセル化回路Ｄ−０７で構成される要素によって、ＲＰＲデータフレーム送信および受信処理を行う。  
【００３８】
また、ＲＰＲフレームカプセル化回路Ｄ−０３、出力リング選定回路Ｄ−０４、およびＡＤＭインタフェース回路Ｄ−０５で構成される要素によって、ＲＰＲデータフレーム送信処理を行う。図５に示す構成におけるＲＰＲデータフレームの送信処理は、従来のＲＰＲノードの処理と同様である。すなわち、クライアント機器１０３側（図３参照）からＭＡＣフレームを受信したＲＰＲフレームカプセル化回路Ｄ−０３は、宛先ＲＰＲ−ＭＡＣアドレスを、アドレス学習テーブルＴ−０１を検索することで取得し、クライアントＭＡＣフレームにＲＰＲヘッダを付与するといったカプセル化処理を行う。
【００３９】
また、ＡＤＭインタフェース回路Ｄ−０５、通過判定回路Ｄ−０６、ＲＰＲデカプセル化回路Ｄ−０７で構成される要素によって、ＲＰＲデータフレーム受信処理を行う。図５に示す構成におけるＲＰＲデータフレームの受信処理は、従来のＲＰＲノードの処理と同様である。すなわち、自ノード宛またはブロードキャスト送信されたＲＰＲデータフレームを受信したＲＰＲフレーム変換回路４０３では、ＲＰＲデータフレームのペイロード部分に格納されているクライアントＭＡＣフレームを障害の発生していないクライアントユーザ回線に送信した後、ＭＡＣアドレス学習を実行する。一方、自ノード装置宛でなく、ブロードキャスト送信されていないＲＰＲデータフレームを受信したＲＰＲフレーム変換回路４０３では、通過転送（Ｔｒａｎｓｉｔ  Ｏｐｅｒａｔｉｏｎ）処理を実行する。
【００４０】
以上が、クライアントＭＡＣフレームの転送処理動作であるが、ＲＰＲ制御フレーム送信処理および受信処理動作については以下に記載する。
【００４１】
ＲＰＲ制御フレームの送信処理は、ＲＰＲフレームカプセル化回路Ｄ−０３と出力リング選定回路Ｄ−０４の間に配置した制御フレーム挿入回路Ｃ−０１で実施する。制御フレーム挿入回路Ｃ−０１は、例えば、ＲＰＲネットワークのトポロジ情報を管理するトポロジ管理データベース（Ｔｏｐｏｌｏｇｙ Ｄａｔａｂａｓｅ：ＴＤＢ）を構築するために、ＲＰＲネットワークを構成するすべてのＲＰＲノードが一定時間周期でブロードキャスト送信するＲＰＲ制御フレームの一種であるＴＰ（Ｔｏｐｏｌｏｇｙ Ｐｒｏｔｅｃｔｉｏｎ）フレームを生成して送出する。
【００４２】
また、隣接するＲＰＲノードとトポロジ管理データベース（Ｔｏｐｏｌｏｇｙ Ｄａｔａｂａｓｅ：ＴＤＢ）の内容が同一であることを検査するためのＴＣ（Ｔｏｐｏｌｏｇｙ Ｃｈｅｃｋ）フレーム送信についても、制御フレーム挿入回路Ｃ−０１で実施する。他のＲＰＲ制御フレームとして、フェアネスフレーム、ＡＴＤ（Ａｔｔｒｉｂｕｔｅ  Ｄｉｓｃｏｖｅｒｙ）フレーム、ＯＡＭ（Ｏｐｅｒａｔｉｏｎ, ａｄｏｍｉｎｉｓｔｒａｔｉｏｎ, ａｎｄ  Ｍａｉｎｔｅｎａｎｃｅ）フレーム、ＬＲＴＴ（Ｌｏｏｐ Ｒｏｕｎｄ Ｔｒｉｐ Ｔｉｍｅ）フレーム等があるが、何れのフレームの送信処理についても、制御フレーム挿入回路Ｃ−０１で実施する。
【００４３】
ＲＰＲ制御フレームの受信処理は、ＡＤＭインタフェース回路Ｄ−０５と通過判定回路Ｄ−０６のＲＰＲフレームカプセル化回路Ｄ−０３との間に配置した制御フレーム受信判定回路Ｃ−０２（データベース更新可能手段、トポロジ管理データベース構築手段、データベース有効・無効選択実施可能手段を含む）で実施する。制御フレーム受信判定回路Ｃ−０２は、例えば、前述のＴＰフレームを受信した場合、ＲＰＲネットワークのトポロジ情報を管理するトポロジ管理データベース（Ｔｏｐｏｌｏｇｙ Ｄａｔａｂａｓｅ：ＴＤＢ）を構築する。また、隣接するＲＰＲノードとトポロジ管理データベース（Ｔｏｐｏｌｏｇｙ Ｄａｔａｂａｓｅ：ＴＤＢ）の内容が同一であることを検査するためのＴＣ（Ｔｏｐｏｌｏｇｙ Ｃｈｅｃｋ）フレーム受信についても、制御フレーム受信判定回路Ｃ−０２で実施する。他のＲＰＲ制御フレームとして、フェアネスフレーム、ＡＴＤ（Ａｔｔｒｉｂｕｔｅ  Ｄｉｓｃｏｖｅｒｙ）フレーム、ＯＡＭ（Ｏｐｅｒａｔｉｏｎ, ａｄｏｍｉｎｉｓｔｒａｔｉｏｎ, ａｎｄ  Ｍａｉｎｔｅｎａｎｃｅ）フレーム、ＬＲＴＴ（Ｌｏｏｐ Ｒｏｕｎｄ Ｔｒｉｐ Ｔｉｍｅ）フレーム等があるが、何れのフレームの受信処理についても、制御フレーム受信判定回路Ｃ−０２で実施する。
【００４４】
本実施例の特徴とするＲＰＲ制御フレームの送信処理および受信処理を説明する。図５において、制御フレーム受信判定回路Ｃ−０２は、前述のＴＰフレームとＴＣフレームを受信し、トポロジ管理データベース（Ｔｏｐｏｌｏｇｙ Ｄａｔａｂａｓｅ：ＴＤＢ）を構築する過程で、現用面トポロジ管理データベースＷＫ−０１とは独立した待機面トポロジ管理データベースＭＴ−０１を配置する。そして、両方のトポロジ管理データベース（現用面トポロジ管理データベースＷＫ−０１および待機面トポロジ管理データベースＭＴ−０１）の構築は、ＲＰＲ標準のプロトコル（ステートマシン）に則する形での制御フレームの送信および受信処理機能（制御フレーム挿入回路Ｃ−０１および制御フレーム受信判定回路Ｃ−０２）により実現する。
【００４５】
現用面トポロジ管理データベースＷＫ−０１は、現用面：リングトロポジ情報収集回路ＷＫ−０２（データベース更新可能手段、トポロジ管理データベース構築手段、データベース有効・無効選択実施可能手段を含む）からの情報に基づいて構築され、現用面：リングトロポジ情報と障害・回復状態認識回路ＷＫ−０３（データベース更新可能手段、トポロジ管理データベース構築手段、データベース有効・無効選択実施可能手段を含む）からの情報に基づいて更新される。待機面トポロジ管理データベースＭＴ−０１は、待機面：リングトロポジ情報収集回路ＭＴ−０２（データベース更新可能手段、トポロジ管理データベース構築手段、データベース有効・無効選択実施可能手段を含む）からの情報に基づいて構築され、待機面：リングトロポジ情報と障害・回復状態認識回路ＭＴ−０３（データベース更新可能手段、トポロジ管理データベース構築手段、データベース有効・無効選択実施可能手段を含む）からの情報に基づいて更新される。
【００４６】
ここで、両方のトポロジ管理データベースの有効・無効選択を、ネットワークオペレータからのコマンドにて実施可能とするために、出力リング選定回路Ｄ−０４およびＲＰＲフレームカプセル化回路Ｄ−０３に対して、現用・待機面選択回路Ｄ−０４１および現用・待機面選択回路Ｄ−０３１を有する。これにより、ネットワークオペレータが、運用監視装置から、Ｃｌｅａｖｅ Ｐｏｉｎｔとして、支障移転時に迂回対象としたいリンクを指定する操作を契機に、待機面のトポロジデータベースの再構築を開始し、面切り替えのコマンド操作にて現用または待機面のテーブル有効・無効状態を切り替える。
【００４７】
なお、本発明にて言及する「現用面」および「待機面」の意味は、例えば、ソフトウェアリセット時のファームウェア仕様を策定する際の常套手段であるＰｒｉｍａｒｙ／Ｓｅｃａｎｄａｒｙ構成を意図しているものではない。
【００４８】
図６は、図５の説明時に述べたアドレス学習テーブルＴ−０１、ならびにトポロジ管理データベース（ＷＫ−０１およびＭＴ−０１）の構成を説明するための図である。図６において、アドレス学習テーブル６０１（図５ではアドレス学習テーブルＴ−０１）は、クライアントＭＡＣフレームの宛先ＭＡＣアドレス（ユーザＭＡＣ、ＶＩＤ）や複数のＶＬＡＮ識別子などをキーに宛先ＲＰＲノードアドレス（宛先ＲＰＲＭＡＣ）を検索する構成を採り、ＲＰＲフレームカプセル化回路Ｄ−０３（図５参照）で参照（ルックアップ）される。
【００４９】
ここで、一定時間（一般的には、３００秒）参照されなかったエントリ情報は登録抹消（エージアウト）される。ＲＰＲフレームデカプセル化回路Ｄ−０７においては、ＲＰＲフレーム受信処理の過程で、その登録抹消の情報はエントリ情報として学習（ラーニング）することでアドレス学習テーブル６０１に登録される。同様に図６に示すトポロジ管理データベース６０２（図５では現用面トポロジ管理データベースＷＫ−０１、待機面トポロジ管理データベースＭＴ−０１）は、宛先ＲＰＲＭＡＣアドレスを検索キーとして出力Ｒｉｎｇ（Ｒｉｎｇｌｅｔ Ｉｎｄｉｃａｔｏｒ）およびＴＴＬ（Ｔｉｍｅ Ｔｏ Ｌｉｖｅ）のベース値を導き出すためのテーブルを配している。
【００５０】
図７は、本実施例においてリングが閉じられている場合のパケットリング転送ネットワークシステムの動作を説明するための図である。図７では、リングに属するノード装置数が奇数（図中では５個のノード装置）の場合を示している。図７において、Ｎ１、Ｎ２、Ｎ３、Ｎ４、Ｎ５は、各ノード装置を示すものとする。各ノード装置Ｎ１、Ｎ２、Ｎ３、Ｎ４、Ｎ５間には、ＯｕｔｅｒＲｉｎｇ（ＲＩ ０）およびＩｎｎｅｒＲｉｎｇ（ＲＩ １）が備えられている。ここでは、説明の都合上、ＯｕｔｅｒＲｉｎｇが図から見て時計回りにトラフィック転送を行うものとし、ＩｎｎｅｒＲｉｎｇが図から見て反時計回りにトラフィック転送を行うものとする。
【００５１】
図８は、図７に示すように接続されたパケットリング転送ネットワークシステムにおいて、発信元ノード装置毎のマルチポイント通信経路（トラフィックデータストリーム）を説明するための図である。図８では、リングに属するノード装置数が奇数（図中では５個のノード装置）で、かつ、リング状のネットワークトポロジを構成する場合の発信元ノード装置毎のマルチポイント通信経路（トラフィックデータストリーム）を示している（事例１−１）。
【００５２】
発信元のノード装置Ｎ１からのデータフレームは、図８（１）に示すように、ＯｕｔｅｒＲｉｎｇ（ＲＩ ０）により、ノード装置Ｎ２、ノード装置Ｎ３と言う経路で転送され、ＩｎｎｅｒＲｉｎｇ（ＲＩ １）により、ノード装置Ｎ５、ノード装置Ｎ４と言う経路で転送される。発信元のノード装置Ｎ２からのデータフレームは、図８（２）に示すように、ＯｕｔｅｒＲｉｎｇ（ＲＩ ０）により、ノード装置Ｎ３、ノード装置Ｎ４と言う経路で転送され、ＩｎｎｅｒＲｉｎｇ（ＲＩ １）により、ノード装置Ｎ１、ノード装置Ｎ５と言う経路で転送される。
【００５３】
発信元のノード装置Ｎ３からのデータフレームは、図８（３）に示すように、ＯｕｔｅｒＲｉｎｇ（ＲＩ ０）により、ノード装置Ｎ４、ノード装置Ｎ５と言う経路で転送され、ＩｎｎｅｒＲｉｎｇ（ＲＩ １）により、ノード装置Ｎ２、ノード装置Ｎ１と言う経路で転送される。発信元のノード装置Ｎ４からのデータフレームは、図８（４）に示すように、ＯｕｔｅｒＲｉｎｇ（ＲＩ ０）により、ノード装置Ｎ５、ノード装置Ｎ１と言う経路で転送され、ＩｎｎｅｒＲｉｎｇ（ＲＩ １）により、ノード装置Ｎ３、ノード装置Ｎ２と言う経路で転送される。発信元のノード装置Ｎ５からのデータフレームは、図８（５）に示すように、ＯｕｔｅｒＲｉｎｇ（ＲＩ ０）により、ノード装置Ｎ１、ノード装置Ｎ２と言う経路で転送され、ＩｎｎｅｒＲｉｎｇ（ＲＩ １）により、ノード装置Ｎ４、ノード装置Ｎ３と言う経路で転送される。
【００５４】
図９は、本実施例においてリングが開いている場合のパケットリング転送ネットワークシステムの動作を説明するための図である。図９では、オープンリングに属するノード装置数が奇数（図中では５個のノード装置）の場合を示している。図９において、Ｎ１、Ｎ２、Ｎ３、Ｎ４、Ｎ５は、各ノード装置を示すものとする。ノード装置Ｎ１とノード装置Ｎ５間を除く各ノード装置Ｎ１、Ｎ２、Ｎ３、Ｎ４、Ｎ５間には、ＯｕｔｅｒＲｉｎｇ（ＲＩ ０）およびＩｎｎｅｒＲｉｎｇ（ＲＩ １）が備えられている。ここでは、説明の都合上、ＯｕｔｅｒＲｉｎｇが図から見て時計回りにトラフィック転送を行うものとし、ＩｎｎｅｒＲｉｎｇが図から見て反時計回りにトラフィック転送を行うものとする。
【００５５】
図１０は、図９に示すように接続されたパケットリング転送ネットワークシステムにおいて、発信元ノード装置毎のマルチポイント通信経路（トラフィックデータストリーム）を説明するための図である。図１０では、オープンリングに属するノード装置数が奇数（図中では５個のノード装置）で、かつ、リニア形態のネットワークトポロジを構成する場合の発信元ノード装置毎のマルチポイント通信経路（トラフィックデータストリーム）を示している（事例１−２）。
【００５６】
発信元のノード装置Ｎ１からのデータフレームは、図１０（１）に示すように、ＯｕｔｅｒＲｉｎｇ（ＲＩ ０）により、ノード装置Ｎ２、ノード装置Ｎ３、ノード装置Ｎ４、ノード装置Ｎ５と言う経路で転送される。発信元のノード装置Ｎ２からのデータフレームは、図１０（２）に示すように、ＯｕｔｅｒＲｉｎｇ（ＲＩ ０）により、ノード装置Ｎ３、ノード装置Ｎ４、ノード装置Ｎ５と言う経路で転送され、ＩｎｎｅｒＲｉｎｇ（ＲＩ １）により、ノード装置Ｎ１と言う経路で転送される。
【００５７】
発信元のノード装置Ｎ３からのデータフレームは、図１０（３）に示すように、ＯｕｔｅｒＲｉｎｇ（ＲＩ ０）により、ノード装置Ｎ４、ノード装置Ｎ５と言う経路で転送され、ＩｎｎｅｒＲｉｎｇ（ＲＩ １）により、ノード装置Ｎ２、ノード装置Ｎ１と言う経路で転送される。発信元のノード装置Ｎ４からのデータフレームは、図１０（４）に示すように、ＯｕｔｅｒＲｉｎｇ（ＲＩ ０）により、ノード装置Ｎ５と言う経路で転送され、ＩｎｎｅｒＲｉｎｇ（ＲＩ １）により、ノード装置Ｎ３、ノード装置Ｎ２、ノード装置Ｎ１と言う経路で転送される。発信元のノード装置Ｎ５からのデータフレームは、図１０（５）に示すように、ＩｎｎｅｒＲｉｎｇ（ＲＩ １）により、ノード装置Ｎ４、ノード装置Ｎ３、ノード装置Ｎ２、ノード装置Ｎ１と言う経路で転送される。
【００５８】
図１１は、本実施例においてリングが閉じている場合のパケットリング転送ネットワークシステムの動作を説明するための図である。図１１では、リングに属するノード装置数が偶数（図中では４個のノード装置）の場合を示している。図１１において、Ｎ１、Ｎ２、Ｎ３、Ｎ４は、各ノード装置を示すものとする。各ノード装置Ｎ１、Ｎ２、Ｎ３、Ｎ４間には、ＯｕｔｅｒＲｉｎｇ（ＲＩ ０）およびＩｎｎｅｒＲｉｎｇ（ＲＩ １）が備えられている。ここでは、説明の都合上、ＯｕｔｅｒＲｉｎｇが図から見て時計回りにトラフィック転送を行うものとし、ＩｎｎｅｒＲｉｎｇが図から見て反時計回りにトラフィック転送を行うものとする。
【００５９】
図１２は、図１１に示すように接続されたパケットリング転送ネットワークシステムにおいて、発信元ノード装置毎のマルチポイント通信経路（トラフィックデータストリーム）を説明するための図である。図１２では、オープンリングに属するノード装置数が偶数（図中では４個のノード装置）で、かつ、リング状のネットワークトポロジを構成する場合の発信元ノード装置毎のマルチポイント通信経路（トラフィックデータストリーム）を示している（事例１−３）。
【００６０】
発信元のノード装置Ｎ１からのデータフレームは、図１２（１）に示すように、ＯｕｔｅｒＲｉｎｇ（ＲＩ ０）により、ノード装置Ｎ２、ノード装置Ｎ３と言う経路で転送され、ＩｎｎｅｒＲｉｎｇ（ＲＩ １）により、ノード装置Ｎ４と言う経路で転送される。発信元のノード装置Ｎ２からのデータフレームは、図１２（２）に示すように、ＯｕｔｅｒＲｉｎｇ（ＲＩ ０）により、ノード装置Ｎ３、ノード装置Ｎ４と言う経路で転送され、ＩｎｎｅｒＲｉｎｇ（ＲＩ １）により、ノード装置Ｎ１と言う経路で転送される。
【００６１】
発信元のノード装置Ｎ３からのデータフレームは、図１２（３）に示すように、ＯｕｔｅｒＲｉｎｇ（ＲＩ ０）により、ノード装置Ｎ４と言う経路で転送され、ＩｎｎｅｒＲｉｎｇ（ＲＩ １）により、ノード装置Ｎ２、ノード装置Ｎ１と言う経路で転送される。発信元のノード装置Ｎ４からのデータフレームは、図１２（４）に示すように、ＯｕｔｅｒＲｉｎｇ（ＲＩ ０）により、ノード装置Ｎ１と言う経路で転送され、ＩｎｎｅｒＲｉｎｇ（ＲＩ １）により、ノード装置Ｎ３、ノード装置Ｎ２と言う経路で転送される。
【００６２】
図１３は、本実施例においてリングが開いている場合のパケットリング転送ネットワークシステムの動作を説明するための図である。図１３では、オープンリングに属するノード装置数が偶数（図中では４個のノード装置）の場合を示している。図１３において、Ｎ１、Ｎ２、Ｎ３、Ｎ４は、各ノード装置を示すものとする。ノード装置Ｎ１とノード装置Ｎ４間を除く各ノード装置Ｎ１、Ｎ２、Ｎ３、Ｎ４間には、ＯｕｔｅｒＲｉｎｇ（ＲＩ ０）およびＩｎｎｅｒＲｉｎｇ（ＲＩ １）が備えられている。ここでは、説明の都合上、ＯｕｔｅｒＲｉｎｇが図から見て時計回りにトラフィック転送を行うものとし、ＩｎｎｅｒＲｉｎｇが図から見て反時計回りにトラフィック転送を行うものとする。
【００６３】
図１４は、図１３に示すように接続されたパケットリング転送ネットワークシステムにおいて、発信元ノード装置毎のマルチポイント通信経路（トラフィックデータストリーム）を説明するための図である。図１４では、オープンリングに属するノード装置数が偶数（図中では４個のノード装置）で、かつ、リニア形態のネットワークトポロジを構成する場合の発信元ノード装置毎のマルチポイント通信経路（トラフィックデータストリーム）を示している（事例１−４）。
【００６４】
発信元のノード装置Ｎ１からのデータフレームは、図１４（１）に示すように、ＯｕｔｅｒＲｉｎｇ（ＲＩ ０）により、ノード装置Ｎ２、ノード装置Ｎ３、ノード装置Ｎ４と言う経路で転送される。発信元のノード装置Ｎ２からのデータフレームは、図１４（２）に示すように、ＯｕｔｅｒＲｉｎｇ（ＲＩ ０）により、ノード装置Ｎ３、ノード装置Ｎ４と言う経路で転送され、ＩｎｎｅｒＲｉｎｇ（ＲＩ １）により、ノード装置Ｎ１と言う経路で転送される。
【００６５】
発信元のノード装置Ｎ３からのデータフレームは、図１４（３）に示すように、ＯｕｔｅｒＲｉｎｇ（ＲＩ ０）により、ノード装置Ｎ４と言う経路で転送され、ＩｎｎｅｒＲｉｎｇ（ＲＩ １）により、ノード装置Ｎ２、ノード装置Ｎ１と言う経路で転送される。発信元のノード装置Ｎ４からのデータフレームは、図１４（４）に示すように、ＩｎｎｅｒＲｉｎｇ（ＲＩ １）により、ノード装置Ｎ３、ノード装置Ｎ２、ノード装置Ｎ１と言う経路で転送される。
【００６６】
以上、図７〜図１４の説明により、定常時におけるクリーブポイント（Ｃｌｅａｖｅ  Ｐｏｉｎｔ）は、発信元のノード装置から最も遠い箇所であることが判る。
【００６７】
図１５は、本実施例においてリングが閉じている場合のパケットリング転送ネットワークシステムの定常時の動作を説明するための図である。図１５では、リングに属するノード装置数が奇数（図中では５個のノード装置）の場合であり、事例１としての定常時を示している。図１５において、Ｎ１、Ｎ２、Ｎ３、Ｎ４、Ｎ５は、各ノード装置を示すものとする。各ノード装置Ｎ１、Ｎ２、Ｎ３、Ｎ４、Ｎ５間には、ＯｕｔｅｒＲｉｎｇ（ＲＩ ０）およびＩｎｎｅｒＲｉｎｇ（ＲＩ １）が備えられている。ここでは、説明の都合上、ＯｕｔｅｒＲｉｎｇが図から見て時計回りにトラフィック転送を行うものとし、ＩｎｎｅｒＲｉｎｇが図から見て反時計回りにトラフィック転送を行うものとする。
【００６８】
図１６は、図１５に示すように接続されたパケットリング転送ネットワークシステムにおいて、定常時（事例１）における発信元ノード装置毎のマルチポイント通信経路（トラフィックデータストリーム）を説明するための図である。図１６では、リングに属するノード装置数が奇数（図中では５個のノード装置）で、かつ、リング状のネットワークトポロジを構成する場合の発信元ノード装置毎のマルチポイント通信経路（トラフィックデータストリーム）を示している。
【００６９】
発信元のノード装置Ｎ１からのデータフレームは、図１６（１）に示すように、ＯｕｔｅｒＲｉｎｇ（ＲＩ ０）により、ノード装置Ｎ２、ノード装置Ｎ３と言う経路で転送され、ＩｎｎｅｒＲｉｎｇ（ＲＩ １）により、ノード装置Ｎ５、ノード装置Ｎ４と言う経路で転送される。発信元のノード装置Ｎ２からのデータフレームは、図１６（２）に示すように、ＯｕｔｅｒＲｉｎｇ（ＲＩ ０）により、ノード装置Ｎ３、ノード装置Ｎ４と言う経路で転送され、ＩｎｎｅｒＲｉｎｇ（ＲＩ １）により、ノード装置Ｎ１、ノード装置Ｎ５と言う経路で転送される。
【００７０】
発信元のノード装置Ｎ３からのデータフレームは、図１６（３）に示すように、ＯｕｔｅｒＲｉｎｇ（ＲＩ ０）により、ノード装置Ｎ４、ノード装置Ｎ５と言う経路で転送され、ＩｎｎｅｒＲｉｎｇ（ＲＩ １）により、ノード装置Ｎ２、ノード装置Ｎ１と言う経路で転送される。発信元のノード装置Ｎ４からのデータフレームは、図１６（４）に示すように、ＯｕｔｅｒＲｉｎｇ（ＲＩ ０）により、ノード装置Ｎ５、ノード装置Ｎ１と言う経路で転送され、ＩｎｎｅｒＲｉｎｇ（ＲＩ １）により、ノード装置Ｎ３、ノード装置Ｎ２と言う経路で転送される。発信元のノード装置Ｎ５からのデータフレームは、図１６（５）に示すように、ＯｕｔｅｒＲｉｎｇ（ＲＩ ０）により、ノード装置Ｎ１、ノード装置Ｎ２と言う経路で転送され、ＩｎｎｅｒＲｉｎｇ（ＲＩ １）により、ノード装置Ｎ４、ノード装置Ｎ３と言う経路で転送される。
【００７１】
図１７は、最短経路選択運用時の定常状態（事例１）におけるトロポジ管理データベースの一覧の表示の一例を示す図である。図１７において、Ｎｏｄｅ１、Ｎｏｄｅ２、Ｎｏｄｅ３、Ｎｏｄｅ４、Ｎｏｄｅ５は、図１５および図１６に示すノード装置Ｎ１、ノード装置Ｎ２、ノード装置Ｎ３、ノード装置Ｎ４、ノード装置Ｎ５をそれぞれ示す。●は該当ノード装置自体のＳｔａｔｉｏｎを示す。Ｎｏｄｅ１の行は、図１６（１）に示す転送状態に対応する転送順を示す。Ｎｏｄｅ２の行は、図１６（２）に示す転送状態に対応する転送順を示す。Ｎｏｄｅ３の行は、図１６（３）に示す転送状態に対応する転送順を示す。Ｎｏｄｅ４の行は、図１６（４）に示す転送状態に対応する転送順を示す。Ｎｏｄｅ５の行は、図１６（５）に示す転送状態に対応する転送順を示す。
【００７２】
また、図１７において、１，２，３，４，５は、ノード装置Ｎ１，ノード装置Ｎ２，ノード装置Ｎ３，ノード装置Ｎ４，ノード装置Ｎ５のそれぞれに対応し、該当ノード装置に対して隣接する順に表示されている。矢印→は出力Ｒｉｎｇｌｅｔ方向（ＯｕｔｅｒＲｉｎｇ（ＲＩ ０）方向）を示し、矢印←は出力Ｒｉｎｇｌｅｔ方向（ＩｎｎｅｒＲｉｎｇ（ＲＩ １）方向）を示す。この例の場合、図１６でも説明したように、該当ノード装置からの最短経路（Ｓｈｏｒｔｅｓｔ  Ｐａｔｈ）を示している。また、図１７において、空欄はクリーブポイント（発信元Ｓｔａｔｉｏｎからの最遠となる区間）を示す。
【００７３】
図１８は、本実施例においてリングが閉じている場合のパケットリング転送ネットワークシステムの迂回動作を説明するための図である。図１８では、リングに属するノード装置数が奇数（図中では５個のノード装置）の場合であり、ノード装置Ｎ５とノード装置Ｎ１間のトラフィック迂回操作（事例２）を示している。図１８において、Ｎ１、Ｎ２、Ｎ３、Ｎ４、Ｎ５は、各ノード装置を示すものとする。各ノード装置Ｎ１、Ｎ２、Ｎ３、Ｎ４、Ｎ５間には、ＯｕｔｅｒＲｉｎｇ（ＲＩ ０）およびＩｎｎｅｒＲｉｎｇ（ＲＩ １）が備えられている。ここでは、説明の都合上、ＯｕｔｅｒＲｉｎｇが図から見て時計回りにトラフィック転送を行うものとし、ＩｎｎｅｒＲｉｎｇが図から見て反時計回りにトラフィック転送を行うものとする。
【００７４】
この事例２では、運用監視装置２０１（図２参照）は、図１８に示すようにＣｌｅａｖｅ  Ｐｏｉｎｔをノード装置Ｎ５とノード装置Ｎ１間に強制指定する操作を契機に（Ｓｔｅｐ１）、待機・保守用のＴＰ／ＴＣフレームを送受信し、待機面トポロジ管理データベースが安定状態になった時点で待機用ＴＰ／ＴＣフレームの送信指示を発信元の例えばノード装置Ｎ１に対して行う（Ｓｔｅｐ２）。これにより、ノード装置Ｎ１の制御フレーム挿入回路Ｃ−０１（図５参照）は、待機面トポロジ管理データベースが安定状態になったことを運用監視装置２０１に通知する。運用監視装置２０１では、この際の２つのトポロジ管理データベース（現用面トポロジ管理データベースと待機面トポロジ管理データベース）の変遷状況および発信元ノード装置毎のマルチポイントデータトラフィックストリームをトレースすることで、迂回後の経路を表示する。このように、前記の強制操作によって、迂回後のＴＤＢとその経路が転送経路可視化手段により一目瞭然で判別できるようになる。
【００７５】
図１９は、図１８に示すように接続されたパケットリング転送ネットワークシステムにおいて、事例２（ノード装置Ｎ５とノード装置Ｎ１間のトラフィック迂回操作）として、発信元ノード装置毎のマルチポイント通信経路（トラフィックデータストリーム）を説明するための図である。図１９では、リングに属するノード装置数が奇数（図中では５個のノード装置）で、かつ、リング状のネットワークトポロジを構成する場合の発信元ノード装置毎のマルチポイント通信経路（トラフィックデータストリーム）を示している。
【００７６】
発信元のノード装置Ｎ１からのデータフレームは、図１９（１）に示すようにＯｕｔｅｒＲｉｎｇ（ＲＩ ０）により、ノード装置Ｎ２、ノード装置Ｎ３、ノード装置Ｎ４、ノード装置Ｎ５と言う経路で転送される。発信元のノード装置Ｎ２からのデータフレームは、図１９（２）に示すように、ＯｕｔｅｒＲｉｎｇ（ＲＩ ０）により、ノード装置Ｎ３、ノード装置Ｎ４、ノード装置Ｎ５と言う経路で転送され、ＩｎｎｅｒＲｉｎｇ（ＲＩ １）により、ノード装置Ｎ１と言う経路で転送される。
【００７７】
発信元のノード装置Ｎ３からのデータフレームは、図１９（３）に示すように、ＯｕｔｅｒＲｉｎｇ（ＲＩ ０）により、ノード装置Ｎ４、ノード装置Ｎ５と言う経路で転送され、ＩｎｎｅｒＲｉｎｇ（ＲＩ １）により、ノード装置Ｎ２、ノード装置Ｎ１と言う経路で転送される。発信元のノード装置Ｎ４からのデータフレームは、図１９（４）に示すように、ＯｕｔｅｒＲｉｎｇ（ＲＩ ０）により、ノード装置Ｎ５と言う経路で転送され、ＩｎｎｅｒＲｉｎｇ（ＲＩ １）により、ノード装置Ｎ３、ノード装置Ｎ２、ノード装置Ｎ１と言う経路で転送される。発信元のノード装置Ｎ５からのデータフレームは、図１９（５）に示すように、ＩｎｎｅｒＲｉｎｇ（ＲＩ １）により、ノード装置Ｎ４、ノード装置Ｎ３、ノーｄ装置Ｎ２、ノード装置Ｎ１と言う経路で転送される。
【００７８】
図２０は、事例２における現用面トロポジ管理データベースおよび待機面トロポジ管理データベースの一覧の表示の一例を示す図である。即ち、図２０は、迂回対象のリンクをそれぞれ遷移させた場合の２つのトポロジ管理データベースの変遷状況図を示す。２０において、Ｎｏｄｅ１、Ｎｏｄｅ２、Ｎｏｄｅ３、Ｎｏｄｅ４、Ｎｏｄｅ５は、図１８および図１９に示すノード装置Ｎ１、ノード装置Ｎ２、ノード装置Ｎ３、ノード装置Ｎ４、ノード装置Ｎ５をそれぞれ示す。●は該当ノード装置自体のＳｔａｔｉｏｎを示す。Ｎｏｄｅ１の行は、図１９（１）に示す転送状態に対応する転送順を示す。Ｎｏｄｅ２の行は、図１９（２）に示す転送状態に対応する転送順を示す。Ｎｏｄｅ３の行は、図１９（３）に示す転送状態に対応する転送順を示す。Ｎｏｄｅ４の行は、図１９（４）に示す転送状態に対応する転送順を示す。Ｎｏｄｅ５の行は、図１９（５）に示す転送状態に対応する転送順を示す。
【００７９】
また、図２０において、１，２，３，４，５は、ノード装置Ｎ１，ノード装置Ｎ２，ノード装置Ｎ３，ノード装置Ｎ４，ノード装置Ｎ５のそれぞれに対応し、該当ノード装置に対して隣接する順に表示されている。矢印→は出力Ｒｉｎｇｌｅｔ方向（ＯｕｔｅｒＲｉｎｇ（ＲＩ ０）方向）を示し、矢印←は出力Ｒｉｎｇｌｅｔ方向（ＩｎｎｅｒＲｉｎｇ（ＲＩ １）方向）を示す。この例の場合、図１９でも説明したように、該当ノード装置からの迂回経路を示している。また、図２０において、空欄はクリーブポイント（発信元Ｓｔａｔｉｏｎからの最遠となる区間）を示す。
【００８０】
図２１は、本実施例においてリングが閉じている場合のパケットリング転送ネットワークシステムの迂回動作を説明するための図である。図２１では、リングに属するノード装置数が奇数（図中では５個のノード装置）の場合であり、ノード装置Ｎ４とノード装置Ｎ５間のトラフィック迂回操作（事例３）を示している。図２１において、Ｎ１、Ｎ２、Ｎ３、Ｎ４、Ｎ５は、各ノード装置を示すものとする。各ノード装置Ｎ１、Ｎ２、Ｎ３、Ｎ４、Ｎ５間には、ＯｕｔｅｒＲｉｎｇ（ＲＩ ０）およびＩｎｎｅｒＲｉｎｇ（ＲＩ １）が備えられている。ここでは、説明の都合上、ＯｕｔｅｒＲｉｎｇが図から見て時計回りにトラフィック転送を行うものとし、ＩｎｎｅｒＲｉｎｇが図から見て反時計回りにトラフィック転送を行うものとする。
【００８１】
この事例３では、運用監視装置２０１（図２参照）は、図２１に示すようにＣｌｅａｖｅ  Ｐｏｉｎｔをノード装置Ｎ４とノード装置Ｎ５間に強制指定する操作を契機に（Ｓｔｅｐ１）、待機・保守用のＴＰ／ＴＣフレームを送受信し、待機面トポロジ管理データベースが安定状態になった時点で待機用ＴＰ／ＴＣフレームの送信指示を発信元の例えばノード装置Ｎ１に対して行う（Ｓｔｅｐ２）。これにより、ノード装置Ｎ１の制御フレーム挿入回路Ｃ−０１（図５参照）は、待機面トポロジ管理データベースが安定状態になったことを運用監視装置２０１に通知する。運用監視装置２０１では、この際の２つのトポロジ管理データベース（現用面トポロジ管理データベースと待機面トポロジ管理データベース）の変遷状況および発信元ノード装置毎のマルチポイントデータトラフィックストリームをトレースすることで、迂回後の経路を表示する。このように、前記の強制操作によって、迂回後のＴＤＢとその経路が転送経路可視化手段により一目瞭然で判別できるようになる。
【００８２】
図２２は、図２１に示すように接続されたパケットリング転送ネットワークシステムにおいて、事例３（ノード装置Ｎ４とノード装置Ｎ５間のトラフィック迂回操作）として、発信元ノード装置毎のマルチポイント通信経路（トラフィックデータストリーム）を説明するための図である。図２２では、リングに属するノード装置数が奇数（図中では５個のノード装置）で、かつ、リング状のネットワークトポロジを構成する場合の発信元ノード装置毎のマルチポイント通信経路（トラフィックデータストリーム）を示している。
【００８３】
発信元のノード装置Ｎ１からのデータフレームは、図２２（１）に示すようにＯｕｔｅｒＲｉｎｇ（ＲＩ ０）により、ノード装置Ｎ２、ノード装置Ｎ３、ノード装置Ｎ４と言う経路で転送され、ＩｎｎｅｒＲｉｎｇ（ＲＩ １）により、ノード装置Ｎ５と言う経路で転送される。発信元のノード装置Ｎ２からのデータフレームは、図２２（２）に示すように、ＯｕｔｅｒＲｉｎｇ（ＲＩ ０）により、ノード装置Ｎ３、ノード装置Ｎ４と言う経路で転送され、ＩｎｎｅｒＲｉｎｇ（ＲＩ １）により、ノード装置Ｎ１、ノード装置Ｎ５と言う経路で転送される。
【００８４】
発信元のノード装置Ｎ３からのデータフレームは、図２２（３）に示すように、ＯｕｔｅｒＲｉｎｇ（ＲＩ ０）により、ノード装置Ｎ４と言う経路で転送され、ＩｎｎｅｒＲｉｎｇ（ＲＩ １）により、ノード装置Ｎ２、ノード装置Ｎ１、ノード装置Ｎ５と言う経路で転送される。発信元のノード装置Ｎ４からのデータフレームは、図２２（４）に示すように、ＩｎｎｅｒＲｉｎｇ（ＲＩ １）により、ノード装置Ｎ３、ノード装置Ｎ２、ノード装置Ｎ１、ノード装置Ｎ５と言う経路で転送される。発信元のノード装置Ｎ５からのデータフレームは、図２２（５）に示すように、ＯｕｔｅｒＲｉｎｇ（ＲＩ ０）により、ノード装置Ｎ１、ノード装置Ｎ２、ノード装置Ｎ３、ノード装置Ｎ４と言う経路で転送される。
【００８５】
図２３は、事例３における現用面トロポジ管理データベースおよび待機面トロポジ管理データベースの一覧の表示の一例を示す図である。即ち、図２３は、迂回対象のリンクをそれぞれ遷移させた場合の２つのトポロジ管理データベースの変遷状況図を示す。図２３において、Ｎｏｄｅ１、Ｎｏｄｅ２、Ｎｏｄｅ３、Ｎｏｄｅ４、Ｎｏｄｅ５は、図２１および図２２に示すノード装置Ｎ１、ノード装置Ｎ２、ノード装置Ｎ３、ノード装置Ｎ４、ノード装置Ｎ５をそれぞれ示す。●は該当ノード装置自体のＳｔａｔｉｏｎを示す。Ｎｏｄｅ１の行は、図２２（１）に示す転送状態に対応する転送順を示す。Ｎｏｄｅ２の行は、図２２（２）に示す転送状態に対応する転送順を示す。Ｎｏｄｅ３の行は、図２２（３）に示す転送状態に対応する転送順を示す。Ｎｏｄｅ４の行は、図２２（４）に示す転送状態に対応する転送順を示す。Ｎｏｄｅ５の行は、図２２（５）に示す転送状態に対応する転送順を示す。
【００８６】
また、図２３において、１，２，３，４，５は、ノード装置Ｎ１，ノード装置Ｎ２，ノード装置Ｎ３，ノード装置Ｎ４，ノード装置Ｎ５のそれぞれに対応し、該当ノード装置に対して隣接する順に表示されている。矢印→は出力Ｒｉｎｇｌｅｔ方向（ＯｕｔｅｒＲｉｎｇ（ＲＩ ０）方向）を示し、矢印←は出力Ｒｉｎｇｌｅｔ方向（ＩｎｎｅｒＲｉｎｇ（ＲＩ １）方向）を示す。この例の場合、図２２でも説明したように、該当ノード装置からの迂回経路を示している。また、図２３において、空欄はクリーブポイント（発信元Ｓｔａｔｉｏｎからの最遠となる区間）を示す。
【００８７】
図２４は、本実施例においてリングが閉じている場合のパケットリング転送ネットワークシステムの迂回動作を説明するための図である。図２４では、リングに属するノード装置数が奇数（図中では５個のノード装置）の場合であり、ノード装置Ｎ３とノード装置Ｎ４間のトラフィック迂回操作（事例４）を示している。図２４において、Ｎ１、Ｎ２、Ｎ３、Ｎ４、Ｎ５は、各ノード装置を示すものとする。各ノード装置Ｎ１、Ｎ２、Ｎ３、Ｎ４、Ｎ５間には、ＯｕｔｅｒＲｉｎｇ（ＲＩ ０）およびＩｎｎｅｒＲｉｎｇ（ＲＩ １）が備えられている。ここでは、説明の都合上、ＯｕｔｅｒＲｉｎｇが図から見て時計回りにトラフィック転送を行うものとし、ＩｎｎｅｒＲｉｎｇが図から見て反時計回りにトラフィック転送を行うものとする。
【００８８】
この事例４では、運用監視装置２０１（図２参照）は、図２４に示すようにＣｌｅａｖｅ  Ｐｏｉｎｔをノード装置Ｎ３とノード装置Ｎ４間に強制指定する操作を契機に（Ｓｔｅｐ１）、待機・保守用のＴＰ／ＴＣフレームを送受信し、待機面トポロジ管理データベースが安定状態になった時点で待機用ＴＰ／ＴＣフレームの送信指示を発信元の例えばノード装置Ｎ１に対して行う（Ｓｔｅｐ２）。これにより、ノード装置Ｎ１の制御フレーム挿入回路Ｃ−０１（図５参照）は、待機面トポロジ管理データベースが安定状態になったことを運用監視装置２０１に通知する。運用監視装置２０１では、この際の２つのトポロジ管理データベース（現用面トポロジ管理データベースと待機面トポロジ管理データベース）の変遷状況および発信元ノード装置毎のマルチポイントデータトラフィックストリームをトレースすることで、迂回後の経路を表示する。このように、前記の強制操作によって、迂回後のＴＤＢとその経路が転送経路可視化手段により一目瞭然で判別できるようになる。
【００８９】
図２５は、図２４に示すように接続されたパケットリング転送ネットワークシステムにおいて、事例４（ノード装置Ｎ３とノード装置Ｎ４間のトラフィック迂回操作）として、発信元ノード装置毎のマルチポイント通信経路（トラフィックデータストリーム）を説明するための図である。図２５では、リングに属するノード装置数が奇数（図中では５個のノード装置）で、かつ、リング状のネットワークトポロジを構成する場合の発信元ノード装置毎のマルチポイント通信経路（トラフィックデータストリーム）を示している。
【００９０】
発信元のノード装置Ｎ１からのデータフレームは、図２５（１）に示すようにＯｕｔｅｒＲｉｎｇ（ＲＩ ０）により、ノード装置Ｎ２、ノード装置Ｎ３と言う経路で転送され、ＩｎｎｅｒＲｉｎｇ（ＲＩ １）により、ノード装置Ｎ５、ノード装置Ｎ４と言う経路で転送される。発信元のノード装置Ｎ２からのデータフレームは、図２５（２）に示すように、ＯｕｔｅｒＲｉｎｇ（ＲＩ ０）により、ノード装置Ｎ３と言う経路で転送され、ＩｎｎｅｒＲｉｎｇ（ＲＩ １）により、ノード装置Ｎ１、ノード装置Ｎ５、ノード装置Ｎ４と言う経路で転送される。
【００９１】
発信元のノード装置Ｎ３からのデータフレームは、図２５（３）に示すように、ＩｎｎｅｒＲｉｎｇ（ＲＩ １）により、ノード装置Ｎ２、ノード装置Ｎ１、ノード装置Ｎ５、ノード装置Ｎ４と言う経路で転送される。発信元のノード装置Ｎ４からのデータフレームは図２５（４）に示すように、ＩｎｎｅｒＲｉｎｇ（ＲＩ １）により、ノード装置Ｎ５、ノード装置Ｎ１、ノード装置Ｎ２、ノード装置Ｎ３と言う経路で転送される。発信元のノード装置Ｎ５からのデータフレームは、図２５（５）に示すように、ＯｕｔｅｒＲｉｎｇ（ＲＩ ０）により、ノード装置Ｎ１、ノード装置Ｎ２、ノーｄ装置Ｎ３と言う経路で転送されＩｎｎｅｒＲｉｎｇ（ＲＩ １）により、ノード装置Ｎ４と言う経路で転送される。
【００９２】
図２６は、事例４における現用面トロポジ管理データベースおよび待機面トロポジ管理データベースの一覧の表示の一例を示す図である。即ち、図２６は、迂回対象のリンクをそれぞれ遷移させた場合の２つのトポロジ管理データベースの変遷状況図を示す。図２６において、Ｎｏｄｅ１、Ｎｏｄｅ２、Ｎｏｄｅ３、Ｎｏｄｅ４、Ｎｏｄｅ５は、図２４および図２５に示すノード装置Ｎ１、ノード装置Ｎ２、ノード装置Ｎ３、ノード装置Ｎ４、ノード装置Ｎ５をそれぞれ示す。●は該当ノード装置自体のＳｔａｔｉｏｎを示す。Ｎｏｄｅ１の行は、図２５（１）に示す転送状態に対応する転送順を示す。Ｎｏｄｅ２の行は、図２５（２）に示す転送状態に対応する転送順を示す。Ｎｏｄｅ３の行は、図２５（３）に示す転送状態に対応する転送順を示す。Ｎｏｄｅ４の行は、図２５（４）に示す転送状態に対応する転送順を示す。Ｎｏｄｅ５の行は、図２５（５）に示す転送状態に対応する転送順を示す。
【００９３】
また、図２６において、１，２，３，４，５は、ノード装置Ｎ１，ノード装置Ｎ２，ノード装置Ｎ３，ノード装置Ｎ４，ノード装置Ｎ５のそれぞれに対応し、該当ノード装置に対して隣接する順に表示されている。矢印→は出力Ｒｉｎｇｌｅｔ方向（ＯｕｔｅｒＲｉｎｇ（ＲＩ ０）方向）を示し、矢印←は出力Ｒｉｎｇｌｅｔ方向（ＩｎｎｅｒＲｉｎｇ（ＲＩ １）方向）を示す。この例の場合、図２５でも説明したように、該当ノード装置からの迂回経路を示している。また、図２６において、空欄はクリーブポイント（発信元Ｓｔａｔｉｏｎからの最遠となる区間）を示す。
【００９４】
図２７は、本実施例においてリングが閉じている場合のパケットリング転送ネットワークシステムの迂回動作を説明するための図である。図２７では、リングに属するノード装置数が奇数（図中では５個のノード装置）の場合であり、ノード装置Ｎ２とノード装置Ｎ３間のトラフィック迂回操作（事例５）を示している。図２７において、Ｎ１、Ｎ２、Ｎ３、Ｎ４、Ｎ５は、各ノード装置を示すものとする。各ノード装置Ｎ１、Ｎ２、Ｎ３、Ｎ４、Ｎ５間には、ＯｕｔｅｒＲｉｎｇ（ＲＩ ０）およびＩｎｎｅｒＲｉｎｇ（ＲＩ １）が備えられている。ここでは、説明の都合上、ＯｕｔｅｒＲｉｎｇが図から見て時計回りにトラフィック転送を行うものとし、ＩｎｎｅｒＲｉｎｇが図から見て反時計回りにトラフィック転送を行うものとする。
【００９５】
この事例５では、運用監視装置２０１（図２参照）は、図２７に示すようにＣｌｅａｖｅ  Ｐｏｉｎｔをノード装置Ｎ２とノード装置Ｎ３間に強制指定する操作を契機に（Ｓｔｅｐ１）、待機・保守用のＴＰ／ＴＣフレームを送受信し、待機面トポロジ管理データベースが安定状態になった時点で待機用ＴＰ／ＴＣフレームの送信指示を発信元の例えばノード装置Ｎ１に対して行う（Ｓｔｅｐ２）。これにより、ノード装置Ｎ１の制御フレーム挿入回路Ｃ−０１（図５参照）は、待機面トポロジ管理データベースが安定状態になったことを運用監視装置２０１に通知する。運用監視装置２０１では、この際の２つのトポロジ管理データベース（現用面トポロジ管理データベースと待機面トポロジ管理データベース）の変遷状況および発信元ノード装置毎のマルチポイントデータトラフィックストリームをトレースすることで、迂回後の経路を表示する。このように、前記の強制操作によって、迂回後のＴＤＢとその経路が転送経路可視化手段により一目瞭然で判別できるようになる。
【００９６】
図２８は、図２７に示すように接続されたパケットリング転送ネットワークシステムにおいて、事例５（ノード装置Ｎ２とノード装置Ｎ３間のトラフィック迂回操作）として、発信元ノード装置毎のマルチポイント通信経路（トラフィックデータストリーム）を説明するための図である。図２８では、リングに属するノード装置数が奇数（図中では５個のノード装置）で、かつ、リング状のネットワークトポロジを構成する場合の発信元ノード装置毎のマルチポイント通信経路（トラフィックデータストリーム）を示している。
【００９７】
発信元のノード装置Ｎ１からのデータフレームは、図２８（１）に示すように、ＯｕｔｅｒＲｉｎｇ（ＲＩ ０）により、ノード装置Ｎ２と言う経路で転送され、ＩｎｎｅｒＲｉｎｇ（ＲＩ １）により、ノード装置Ｎ５、ノード装置Ｎ４、ノード装置Ｎ３と言う経路で転送される。発信元のノード装置Ｎ２からのデータフレームは、図２８（２）に示すように、ＩｎｎｅｒＲｉｎｇ（ＲＩ １）により、ノード装置Ｎ１、ノード装置Ｎ５、ノード装置Ｎ４、ノード装置Ｎ３と言う経路で転送される。
【００９８】
発信元のノード装置Ｎ３からのデータフレームは、図２８（３）に示すように、ＯｕｔｅｒＲｉｎｇ（ＲＩ ０）により、ノード装置Ｎ４、ノード装置Ｎ５、ノード装置Ｎ１、ノード装置Ｎ２と言う経路で転送される。発信元のノード装置Ｎ４からのデータフレームは図２８（４）に示すように、ＯｕｔｅｒＲｉｎｇ（ＲＩ ０）により、ノード装置Ｎ５、ノード装置Ｎ１、ノード装置Ｎ２と言う経路で転送され、ＩｎｎｅｒＲｉｎｇ（ＲＩ １）により、ノード装置Ｎ３と言う経路で転送される。発信元のノード装置Ｎ５からのデータフレームは、図２８（５）に示すように、ＯｕｔｅｒＲｉｎｇ（ＲＩ ０）により、ノード装置Ｎ１、ノード装置Ｎ２と言う経路で転送され、ＩｎｎｅｒＲｉｎｇ（ＲＩ １）により、ノード装置Ｎ４、ノード装置Ｎ３と言う経路で転送される。
【００９９】
図２９は、事例５における現用面トロポジ管理データベースおよび待機面トロポジ管理データベースの一覧の表示の一例を示す図である。即ち、図２９は、迂回対象のリンクをそれぞれ遷移させた場合の２つのトポロジ管理データベースの変遷状況図を示す。図２９において、Ｎｏｄｅ１、Ｎｏｄｅ２、Ｎｏｄｅ３、Ｎｏｄｅ４、Ｎｏｄｅ５は、図２７および図２８に示すノード装置Ｎ１、ノード装置Ｎ２、ノード装置Ｎ３、ノード装置Ｎ４、ノード装置Ｎ５をそれぞれ示す。●は該当ノード装置自体のＳｔａｔｉｏｎを示す。Ｎｏｄｅ１の行は、図２８（１）に示す転送状態に対応する転送順を示す。Ｎｏｄｅ２の行は、図２８（２）に示す転送状態に対応する転送順を示す。Ｎｏｄｅ３の行は、図２８（３）に示す転送状態に対応する転送順を示す。Ｎｏｄｅ４の行は、図２８（４）に示す転送状態に対応する転送順を示す。Ｎｏｄｅ５の行は、図２８（５）に示す転送状態に対応する転送順を示す。
【０１００】
また、図２９において、１，２，３，４，５は、ノード装置Ｎ１，ノード装置Ｎ２，ノード装置Ｎ３，ノード装置Ｎ４，ノード装置Ｎ５のそれぞれに対応し、該当ノード装置に対して隣接する順に表示されている。矢印→は出力Ｒｉｎｇｌｅｔ方向（ＯｕｔｅｒＲｉｎｇ（ＲＩ ０）方向）を示し、矢印←は出力Ｒｉｎｇｌｅｔ方向（ＩｎｎｅｒＲｉｎｇ（ＲＩ １）方向）を示す。この例の場合、図２８でも説明したように、該当ノード装置からの迂回経路を示している。また、図２９において、空欄はクリーブポイント（発信元Ｓｔａｔｉｏｎからの最遠となる区間）を示す。
【０１０１】
図３０は、本実施例においてリングが閉じている場合のパケットリング転送ネットワークシステムの迂回動作を説明するための図である。図３０では、リングに属するノード装置数が奇数（図中では５個のノード装置）の場合であり、ノード装置Ｎ１とノード装置Ｎ２間のトラフィック迂回操作（事例６）を示している。図３０において、Ｎ１、Ｎ２、Ｎ３、Ｎ４、Ｎ５は、各ノード装置を示すものとする。各ノード装置Ｎ１、Ｎ２、Ｎ３、Ｎ４、Ｎ５間には、ＯｕｔｅｒＲｉｎｇ（ＲＩ ０）およびＩｎｎｅｒＲｉｎｇ（ＲＩ １）が備えられている。ここでは、説明の都合上、ＯｕｔｅｒＲｉｎｇが図から見て時計回りにトラフィック転送を行うものとし、ＩｎｎｅｒＲｉｎｇが図から見て反時計回りにトラフィック転送を行うものとする。
【０１０２】
この事例６では、運用監視装置２０１（図２参照）は、図３０に示すようにＣｌｅａｖｅ  Ｐｏｉｎｔをノード装置Ｎ２とノード装置Ｎ３間に強制指定する操作を契機に（Ｓｔｅｐ１）、待機・保守用のＴＰ／ＴＣフレームを送受信し、待機面トポロジ管理データベースが安定状態になった時点で待機用ＴＰ／ＴＣフレームの送信指示を発信元の例えばノード装置Ｎ１に対して行う（Ｓｔｅｐ２）。これにより、ノード装置Ｎ１の制御フレーム挿入回路Ｃ−０１（図５参照）は、待機面トポロジ管理データベースが安定状態になったことを運用監視装置２０１に通知する。運用監視装置２０１では、この際の２つのトポロジ管理データベース（現用面トポロジ管理データベースと待機面トポロジ管理データベース）の変遷状況および発信元ノード装置毎のマルチポイントデータトラフィックストリームをトレースすることで、迂回後の経路を表示する。このように、前記の強制操作によって、迂回後のＴＤＢとその経路が転送経路可視化手段により一目瞭然で判別できるようになる。
【０１０３】
図３１は、図３０に示すように接続されたパケットリング転送ネットワークシステムにおいて、事例６（ノード装置Ｎ１とノード装置Ｎ２間のトラフィック迂回操作）として、発信元ノード装置毎のマルチポイント通信経路（トラフィックデータストリーム）を説明するための図である。図３１では、リングに属するノード装置数が奇数（図中では５個のノード装置）で、かつ、リング状のネットワークトポロジを構成する場合の発信元ノード装置毎のマルチポイント通信経路（トラフィックデータストリーム）を示している。
【０１０４】
発信元のノード装置Ｎ１からのデータフレームは、図３１（１）に示すように、ＩｎｎｅｒＲｉｎｇ（ＲＩ １）により、ノード装置Ｎ５、ノード装置Ｎ４、ノード装置Ｎ３、ノード装置Ｎ２と言う経路で転送される。発信元のノード装置Ｎ２からのデータフレームは、図３１（２）に示すように、ＯｕｔｅｒＲｉｎｇ（ＲＩ ０）により、ノード装置Ｎ３、ノード装置Ｎ４、ノード装置Ｎ５、ノード装置Ｎ１と言う経路で転送される。
【０１０５】
発信元のノード装置Ｎ３からのデータフレームは、図３１（３）に示すように、ＯｕｔｅｒＲｉｎｇ（ＲＩ ０）により、ノード装置Ｎ４、ノード装置Ｎ５、ノード装置Ｎ１と言う経路で転送され、ＩｎｎｅｒＲｉｎｇ（ＲＩ １）により、ノード装置Ｎ２と言う経路で転送される。 発信元のノード装置Ｎ４からのデータフレームは、図３１（４）に示すように、ＯｕｔｅｒＲｉｎｇ（ＲＩ ０）により、ノード装置Ｎ５、ノード装置Ｎ１と言う経路で転送され、ＩｎｎｅｒＲｉｎｇ（ＲＩ １）により、ノード装置Ｎ３、ノード装置Ｎ２と言う経路で転送される。発信元のノード装置Ｎ５からのデータフレームは、図３１（５）に示すように、ＯｕｔｅｒＲｉｎｇ（ＲＩ ０）により、ノード装置Ｎ１と言う経路で転送され、ＩｎｎｅｒＲｉｎｇ（ＲＩ １）により、ノード装置Ｎ４、ノード装置Ｎ３、ノード装置Ｎ２と言う経路で転送される。
【０１０６】
図３２は、事例６における現用面トロポジ管理データベースおよび待機面トロポジ管理データベースの一覧の表示の一例を示す図である。即ち、図３２は、迂回対象のリンクをそれぞれ遷移させた場合の２つのトポロジ管理データベースの変遷状況図を示す。図３２において、Ｎｏｄｅ１、Ｎｏｄｅ２、Ｎｏｄｅ３、Ｎｏｄｅ４、Ｎｏｄｅ５は、図３０および図３１に示すノード装置Ｎ１、ノード装置Ｎ２、ノード装置Ｎ３、ノード装置Ｎ４、ノード装置Ｎ５をそれぞれ示す。●は該当ノード装置自体のＳｔａｔｉｏｎを示す。Ｎｏｄｅ１の行は、図３１（１）に示す転送状態に対応する転送順を示す。Ｎｏｄｅ２の行は、図３１（２）に示す転送状態に対応する転送順を示す。Ｎｏｄｅ３の行は、図３１（３）に示す転送状態に対応する転送順を示す。Ｎｏｄｅ４の行は、図３１（４）に示す転送状態に対応する転送順を示す。Ｎｏｄｅ５の行は、図３１（５）に示す転送状態に対応する転送順を示す。
【０１０７】
また、図３２において、１，２，３，４，５は、ノード装置Ｎ１，ノード装置Ｎ２，ノード装置Ｎ３，ノード装置Ｎ４，ノード装置Ｎ５のそれぞれに対応し、該当ノード装置に対して隣接する順に表示されている。矢印→は出力Ｒｉｎｇｌｅｔ方向（ＯｕｔｅｒＲｉｎｇ（ＲＩ ０）方向）を示し、矢印←は出力Ｒｉｎｇｌｅｔ方向（ＩｎｎｅｒＲｉｎｇ（ＲＩ １）方向）を示す。この例の場合、図２８でも説明したように、該当ノード装置からの迂回経路を示している。また、図３２において、空欄はクリーブポイント（発信元Ｓｔａｔｉｏｎからの最遠となる区間）を示す。
【０１０８】
以上説明した実施例によれば、パケットリングネットワークトポロジの最短経路（データトラフィックストリームも含む）を各リングノード装置が自律分散的に検知して転送伝送路（パスを含む）を決定する国際標準で周知の従来方式（ＩＥＥＥ  ８０２．１７  Ｔｏｐｏｌｏｇｙ  Ｄｉｓｃｏｖｅｒｙ  ａｎｄ  Ｐｒｏｔｅｃｔｉｏｎ：トポロジディスカバリとプロテクション）の利点を継承しつつ、特定の転送伝送路（パスを含む）の区間にリングノード装置の増減設等の必然性が生じ、パケットリングネットワーク上を疎通しているマルチポイントトラフィックに対し、特定の転送伝送路（パスを含む）を迂回させたい場面において、ネットワークオペレータが運用監視装置２０１からの強制切り替え操作（Ｆｏｒｃｅｄ  Ｓｗｉｔｃｈ）や手動切り替え操作（Ｍａｎｕａｌ  Ｓｗｉｔｃｈ）による転送先の伝送路（パスを含む）遮断に伴うフレーム瞬断を伴わず、トポロジ管理データベースをネットワークオペレータ主導で更新できるようにしている。
【０１０９】
したがって、実運用中のマルチポイント・ツー・マルチポイントトラフィックに対する転送経路（データトラフィックストリームも含む）を運用（キャリアのポリシー）に則して固定的な経路（データトラフィックストリームも含む）を選択できるようになり、更に、リングネットワーク内に配置される各端局ノード装置までの運用中の転送経路（データトラフィックストリームも含む）を可視化するようにしているので、保守運用機能が向上する。
【０１１０】
なお、本発明は、以上説明した実施例のような構成のトポロジに限らず、多様なトポロジに対応することが可能である。
【産業上の利用可能性】
【０１１１】
本発明は、ＳＤＨ（Ｓｙｎｃｈｒｏｎｏｕｓ  Ｄｉｇｉｔａｌ  Ｈｉｅｒａｒｃｈｙ）／ＳＯＮＥＴ（Ｓｙｎｃｈｒｏｎｏｕｓ  Ｏｐｔｉｃａｌ  Ｎｅｔｗｏｒｋ）等の物理レイヤ（Ｌａｙｅｒ  １）上でＲＰＲ（Ｒｅｓｉｌｉｅｎｔ  Ｐａｃｋｅｔ  Ｒｉｎｇ）等に代表されるデータリンクレイヤ(Ｌａｙｅｒ  ２)のリングトポロジでのネットワークアプリケーションが動作する環境における転送伝送路（パスを含む）設定方法およびＡＤＭ（Ａｄｄ  Ｄｒｏｐ  Ｍｕｌｔｉｐｌｅｚｅｒ）装置等のネットワークノード装置と保守運用監視システムに利用可能である。
【符号の説明】
【０１１２】
１０１，Ａ、Ｂ，Ｃ，Ｄ，Ｅ，Ｎ１，Ｎ２，Ｎ３，Ｎ４，Ｎ５；ノード装置
２０１；運用監視装置
２０３；サーバ（データベース更新指示手段、転送経路可視化手段を含む）
３０１；伝送路
３０２；パス
Ｃ−０２；制御フレーム受信判定回路（データベース更新可能手段、トポロジ管理データベース構築手段、データベース有効・無効選択実施可能手段を含む）
ＷＫ−０２；現用面：リングトロポジ情報収集回路（データベース更新可能手段、トポロジ管理データベース構築手段、データベース有効・無効選択実施可能手段を含む）
ＷＫ−０３；現用面：トロポジ情報と障害・回復状態認識回路（データベース更新可能手段、トポロジ管理データベース構築手段、データベース有効・無効選択実施可能手段を含む）
ＭＴ−０２；待機面：リングトロポジ情報収集回路（データベース更新可能手段、トポロジ管理データベース構築手段、データベース有効・無効選択実施可能手段を含む）
ＭＴ−０３；待機面：トロポジ情報と障害・回復状態認識回路（データベース更新可能手段、トポロジ管理データベース構築手段、データベース有効・無効選択実施可能手段を含む）
【図１】
2010206384.tif 000003
【図２】
2010206384.tif 000004
【図３】
2010206384.tif 000005
【図４】
2010206384.tif 000006
【図５】
2010206384.tif 000007
【図６】
2010206384.tif 000008
【図７】
2010206384.tif 000009
【図８】
2010206384.tif 000010
【図９】
2010206384.tif 000011
【図１０】
2010206384.tif 000012
【図１１】
2010206384.tif 000013
【図１２】
2010206384.tif 000014
【図１３】
2010206384.tif 000015
【図１４】
2010206384.tif 000016
【図１５】
2010206384.tif 000017
【図１６】
2010206384.tif 000018
【図１７】
2010206384.tif 000019
【図１８】
2010206384.tif 000020
【図１９】
2010206384.tif 000021
【図２０】
2010206384.tif 000022
【図２１】
2010206384.tif 000023
【図２２】
2010206384.tif 000024
【図２３】
2010206384.tif 000025
【図２４】
2010206384.tif 000026
【図２５】
2010206384.tif 000027
【図２６】
2010206384.tif 000028
【図２７】
2010206384.tif 000029
【図２８】
2010206384.tif 000030
【図２９】
2010206384.tif 000031
【図３０】
2010206384.tif 000032
【図３１】
2010206384.tif 000033
【図３２】
2010206384.tif 000034